(57)【要約】【課題】手指の不自由な人でも容易にボタン掛け及びファスナ−の開閉を可能とする、折り畳み可能なコンパクトで使い勝手の良い補助具を提供することを目的とする。。【解決手段】一対の長楕円形の木製リングの両端部に軸棒を挟み込んで一体的に形成し、線材から成る菱形状のボタン掛け具、先端を鉤状に形成した線材から成るファスナ−開閉具、ボタン案内溝を有する弯曲したボタン掛け具を適宜組み合わせて軸棒に回動自在に係着するのである。【選択図】  図１
2004159838.tif 000002
【特許請求の範囲】
【請求項１】
一対の長楕円形の木製リングの両端部に軸棒を挟み込んで一体的に形成し、
先細りに形成したボタン案内溝を有する菱形状の、線材から成るボタン掛け具を一の軸棒に回動自在に係着し、
先端を鉤状に形成した線材から成るファスナ−開閉具を他の軸棒に回動自在に係着したことを特徴とする手障害者用衣服の開閉補助具。
【請求項２】
一対の長楕円形の木製リングの一端又は両端部に軸棒を挟み込んで一体的に形成し、
先細りになったボタン案内溝を有する線材から成るボタン掛け具を弯曲させて形成すると共に一の軸棒に回動自在に係着したことを特徴とする手障害者用衣服の開閉補助具。
【請求項３】
一対の長楕円形の木製リングの両端部に軸棒を挟み込んで一体的に形成し、
先細りに形成したボタン案内溝を有する菱形状の、線材から成るボタン掛け具を一の軸棒に回動自在に係着し、
先端を鉤状に形成した線材から成るファスナ−開閉具を他の軸棒に回動自在に係着し、
先細りになったボタン案内溝を有する線材を弯曲に形成したボタン掛け具を一の軸棒に回動自在に係着したことを特徴とする手障害者用衣服の開閉補助具。
【発明の詳細な説明】
【０００１】
【発明の属する技術分野】
本発明はリウマチや片麻痺、或は怪我や高齢等により両手指の動作が不自由な（動かせない、或は力が入らない）人々が、簡単にボタン掛けやファスナ−の開閉を行うための生活補助具に関するものである。
【０００２】
【従来の技術】
従来のボタン掛け具は略楕円形の器具本体と後端に配したリング形状の把持部から構成され、器具本体は可撓性のある素材で形成されている。（例えば、特許文献１参照）。
【０００３】
又、軸棒の一端にボタン引っ掛け用の鉤状体、他端にボタン外し作業を行う引っ掛け体及びファスナ−開閉操作を行う突起体を形成した手障害者用開閉補助具がある。（例えば、特許文献２参照）。
【０００４】
又、取手部と取手部から一方向へ長く伸びたボタン案内溝が形成されているボタン保持部を有する、デニムやジ−ンズ等の厚手生地のボタン掛けに使用するボタン掛け具がある。（例えば、特許文献３参照）。
【０００５】
【特許文献１】
特開平１１−３４６８０７号公報（第１図）
【０００６】
【特許文献２】
特開平２０００−３０４１８号公報（第１図）
【０００７】
【特許文献３】
特開平２００１−１６１５３９号公報（第４図）
【０００８】
【発明が解決しようとする課題】
特許文献１におけるボタン掛け具は器具本体と把持部とを折畳み可能に形成する実施例も提案されており携行性に優れてはいるが、小さく平坦なリングに指を掛止させて操作を行うため、少なくとも一の指の折曲が自由である必要がある。
【０００９】
一方、特許文献２における手障害者用開閉補助具は折り畳むことができず携帯に不便である。又、全体の形状が細長く尖っているため本品を取り出す時に手指を痛めたり、ポケット等に携帯していると転倒時に体を傷つけるおそれがある。
【００１０】
又、一般的に介護用品や生活補助具は機能重視でデザイン性に欠ける物が多く、使用を躊躇することがある。特に外出先の気温の変化により衣服の着脱が必要な時に、人前での使用をためらい体温調節を行えず不快な思いをすることがある。
【００１１】
特許文献３におけるボタン掛け具はボタン案内溝が直線状であるためボタン穴への出し入れがスム−ズに行えない。又、例えばジ−ンズの第一ボタンのようにボタンをボタンホ−ルに強く引き寄せながら同時にボタン掛けを行うには滑りが悪いという短所がある。
【００１２】
そこで、本発明では器具本体を手指全体で把持できる大きめのリング状に形成して操作性を高めると共に、操作部を把持部に収納してコンパクト化を図っている。更に、把持部の角を面取りして滑らかな表面に仕上げ、素材を天然木として触感の心地よい、デザイン性に優れた、誰でも利用できるいわゆるユニバ−サルデザインの生活補助具を提供することを目的とする。
【００１３】
【課題を解決するための手段】
上記課題を解決するために、本発明では、面取り加工を施した長楕円形の一対の木製リングを重ね合わせて器具本体を形成し、両端部に軸棒を挟み込んで一方の軸棒に可撓性を有する金属又は樹脂の線材から成る少なくとも大小の二種類のボタン掛けガイド部の端部を回動自在に取り付け、他方の軸棒に先端を鉤状に屈曲させた線材から成るファスナ−開閉操作具の端部を回動自在に取り付けるのである。
【００１４】
又、面取り加工を施した長楕円形の一対の木製リングを重ね合わせて器具本体を形成し、一端又は両端部に軸棒を挟み込んで一方の軸棒に可撓性を有する金属又は樹脂の線材から成る先細りに案内溝を形成した弯曲したボタン掛けガイドの端部を回動自在に取り付けるのである。
【００１５】
又、面取り加工を施した長楕円形の一対の木製リングを重ね合わせて器具本体を形成し、両端部に軸棒を挟み込んで一方の軸棒に可撓性を有する金属又は樹脂の線材から成る少なくとも大小の二種類のボタン掛けガイド部の端部を回動自在に取り付け、他方の軸棒に先端を鉤状に屈曲させた線材から成るファスナ−開閉操作具の端部を回動自在に取り付け、更に、一の軸棒に可撓性を有する金属又は樹脂の線材から成る先細りの案内溝を有する、弯曲したボタン掛けガイドの端部を回動自在に取り付けるのである。
【００１６】
【発明の実施の形態】
図１は本発明にかかる衣服のボタン掛け及びファスナ−開閉補助具１（以下「補助具」と略す。）の操作部を引き出した状態を示す正面図、図２は、同、平面図である。
【００１７】
当該補助具１の器具本体は片面に大きなア−ルを付けて面取り加工した一対の長楕円形状のリング２−２の両端部に軸棒７、８を挟み込み、７、８ｍｍ程度の間隔をあけて重ね合わせ、固着する。これは、ボタン掛け具４、５及びファスナ−開閉具６を器具本体２−２内に収納するためである。これらの操作部を回動させない方の長辺には同間隔と同じ厚さの白木の板３を挟み込んでもよい。これは器具本体の強度を高めると共に見栄えを良くするためである。
【００１８】
器具本体２−２は天然木等の自然素材を使用し、触感や素材感を持たせている、紫檀等の高級天然木を使用すると介護用品らしくないデザインとなり、使う度に愛着も増す。
【００１９】
又、器具本体の大きさは縦１１ｃｍ、横４ｃｍと掌に程良く納まるサイズである。この寸法に限定されるものではなく、それぞれの長さや又、縦横の比率は使用者の使い勝手に合わせて適宜変更可能である。
【００２０】
ボタン掛け具４、５は可撓性を有する剛性線材、例えば、樹脂線材又はステンレス等の金属線材から成る。ボタン掛け具４は径の小さいボタン用、５は径の大きいボタン用である。線材を菱形状に屈曲させると共に先端部４ｂ、５ｂを先細りに形成し、ボタン案内溝とする。最も幅広の部分４ａ、５ａをボタンの直径よりやや大きめに形成し、ボタン掛止部とする。ボタン掛け具４、５の他端は軸棒７に巻き付け、回動自在に係着するのである。
【００２１】
一方、ファスナ−開閉具６は同じく樹脂線材又はステンレス等の金属線材から成る。ファスナ−の摘片の穴に嵌挿するため先端６ａを鉤状に形成する。他端は軸棒８に巻き付け、回動自在に係着するのである。
【００２２】
図３は操作部を器具本体２−２に折り畳み収納した状態を示す平面図である。軸棒７に係着させたボタン掛け具４、５を回動させて２−２内に収納し、同様に軸棒８に係着させたファスナ−開閉具６も回動させて２−２内に収納するのである。
【００２３】
次に図４に基づいて本発明にかかる補助具１１を用いてボタン掛けを行う方法について説明する。
【００２４】
上側前身頃９にボタン穴１０が設けられている。補助具１１からボタン掛け具１２を引き出し、先端部１２ｂをボタン穴１０に挿通させて、下側前身頃１４に縫着されているボタン１３をボタン掛け具１２の掛止部１２ａで引っ掛けた後案内溝１２ｂに導き入れるように操作し、器具本体１１を更に手前に引っ張るとボタン１３がボタン穴１０を潜り抜けてくる。ボタン１３が表面に完全に出たことを確認すると器具本体１１を逆方向に押して案内溝１２ｂからボタン１３を開放し、掛止部１２ａからも退出させるとボタン掛け作業は完了するのである。
【００２５】
更に図５に基づいてファスナ−の開閉方法について説明する。
【００２６】
図５のａはファスナ−を閉める作業の様子を説明した図であり、ｂはファスナ−を開ける作業の様子を説明した図である。
【００２７】
補助具１５からファスナ−開閉具１６を引き出し、ファスナ１７の摘み片１８の小孔１８ａにファスナ−開閉具１６の先端の鉤状部１６ａを嵌挿し、そのままの状態で１５を上方に引き上げるとファスナ−１７を閉じることができ、図５ｂのように引き下げるとファスナ−１７を開けることができるのである。
【００２８】
ここで、本発明の重要な点は器具本体が大きめのリング状に形成されていることにある。
【００２９】
即ち、ボタン掛け具或はファスナ−開閉具を器具本体から引き出すことができれば操作を行う方の手指が変形して全く動かない状態であっても器具本体の穴に指先を掛止することさえ可能であれば、手指と体で補助具を把持しながらボタン掛けやファスナ−開閉操作が可能となるのである。
【００３０】
次に、請求項２記載のボタン掛け補助具について説明する。これはデニムやジ−ンズ素材等の厚手の強い生地に取り付けられたボタンのボタン掛けに使用する補助具である。
【００３１】
図６はボタン掛け補助具のボタン掛け具を引き出した状態を示す平面図である。図７はボタン掛け具を器具本体に収納した状態を示す平面図である。
【００３２】
当該補助具の器具本体１９は片面に大きなア−ルを付けて面取り加工した一対の長楕円形状のリングの一端に軸棒２１を挟み込み、７、８ｍｍ程度の間隔をあけて重ね合わせ、固着する。これは、ボタン掛け具２０を器具本体１９に収納するためである。器具本体１９は天然木等の自然素材を使用し、触感や紫檀等の高級天然木を使用すると介護用品らしくないデザインとなり、使う度に愛着も増す。
【００３３】
又、器具本体の大きさは縦１１ｃｍ、横４ｃｍと掌に程良く納まるサイズである。この寸法に限定されるものではなく、それぞれの長さや又、縦横の比率は使用者の使い勝手に合わせて適宜変更可能である。
【００３４】
ボタン掛け具２０は先細りになったボタン掛止部２０ａを有する線材からなり、全体を弯曲させて形成する。素材は可撓性を有する剛性線材、例えば、樹脂線材又はステンレス等の金属線材が適している。このボタン掛け具２０の端部を軸棒２１に回動自在に巻き付け取り付けるのである。
【００３５】
次に図８、９に基づいて請求項２記載の補助具を用いてボタン掛けを行う方法について説明する。
【００３６】
本発明は特にジ−ンズの第一ボタン等、力を要するボタン掛けに適している。
【００３７】
ジ−ンズのズボンの内側フライ２２にボタン２４が縫着されている。外側フライ２３にはボタン２４に対応するボタンホ−ル２５が設けられている。補助具の本体１９からボタン掛け具２０を引き出し（図８ａ）、先端部２０ａをボタンホ−ル２５に挿通させて、内側フライ２２に縫着されているボタン２４をボタン掛け具２０の掛止部２０ａで引っ掛け、掛止させる（図８ｂ）。図９ａに示すようにその状態で手前に引っ張るとボタン２４及び内側フライ２２が外側フライ２３の方向に引き寄せられる。この状態でボタン掛け具２０を回転させるとボタン２４がボタンホ−ル２５を潜り抜けてくる。ボタン２４が表面に完全に出たこと（図９ｂ）を確認するとボタン掛止部２０ａからボタン２４を開放すると共に、ボタン掛け具２０からも退出させるとボタン掛け作業は完了するのである。
【００３８】
請求項３記載のボタン掛け補助具は、請求項１記載のボタン掛け具及びファスナ−開閉具を有するボタン掛け補助具に請求項２記載の厚手生地専用のボタン掛け具を取り付けたものである。
【００３９】
【発明の効果】
器具本体がリング状になっているため、この穴に手指を差し込み可能であれば、手指が全く動かない状態でも補助具を把持して操作を行うことができる。
【００４０】
素材に天然木を使用し、表面を面取り加工して滑らかにすることで、把持し易いだけでなく、触感やデザイン性に優れ、誰でも使用を欲するようなユニバ−サルデザインとなっている。
【００４１】
厚手生地専用のボタン掛け具は全体を弯曲させて形成しているため滑りがよくボタンホールをボタンに引き寄せるため、ジ−ンズのズボンのボタン等通常、力を要する場合であっても、又片手であっても、少ない力で簡単且つスム−ズにボタン掛けが行えるのである。又、付け爪やマニュキュアを施した手指であっても爪を破損させたり、マニュキュアを剥すことなく安心してボタン掛けが行える。
【００４２】
ボタン掛け機能やファスナ−開閉機能が付設されているため衣服に合わせて適宜これらの機能を選択使用可能である。又、これらの操作部が器具本体に回動自在に折り畳み収納可能であるため、全体がコンパクトであり、携行性に優れている。
【図面の簡単な説明】
【図１】操作部を引き出した状態を示す正面図。
【図２】同、平面図。
【図３】操作部を器具本体に収納した状態を示す平面図。
【図４】ボタン掛け操作を行う様子を示す説明図。
【図５】ａ  ファスナ−を閉める作業を行う様子を示す説明図。
ｂ  ファスナ−を開ける作業を行う様子を示す説明図。
【図６】請求項２記載のボタン掛け具のボタン掛け具を引き出した状態を示す平面図。
【図７】同、ボタン掛け具を器具本体に収納した状態を示す平面図。
【図８】ａ  ボタン掛け作業を行う様子を示す説明図。
ｂ  ボタン掛け作業を行う様子を示す説明図。
【図９】ａ  ボタン掛け作業を行う様子を示す説明図。
ｂ  ボタン掛け作業を行う様子を示す説明図。
【符号の説明】
１、補助具    ２、器具本体    ３、白木    ４、ボタン掛け具（小）
５、ボタン掛け具（大）    ６、ファスナ−開閉具    ７、８、軸棒
１９、器具本体    ２０、ボタン掛け具    ２１、軸棒
【図１】
2004159838.tif 000003
【図２】
2004159838.tif 000004
【図３】
2004159838.tif 000005
【図４】
2004159838.tif 000006
【図５】
2004159838.tif 000007
【図６】
2004159838.tif 000008
【図７】
2004159838.tif 000009
【図８】
2004159838.tif 000010
【図９】
2004159838.tif 000011